(57)【特許請求の範囲】
【請求項１】
台紙フィルムにプラスチックフィルムが剥離可能に貼着されている台紙フィルム付プラスチックフィルムを、前記台紙フィルムを下側とした状態で走行路に沿って走行させる過程において前記プラスチックフィルムを前記台紙フィルムから剥離するプラスチックフィルムの剥離装置であって、
前記走行路に沿って前記走行路の下側に形成されるほぼ水平な案内面を有する基台テーブルと、
前記プラスチックフィルムを前記台紙フィルムから剥離する剥離部を有し、前記基台テーブルの前記案内面に沿って前記走行路における走行路前方側及び走行路後方側に所定範囲で往復動可能な可動剥離ユニットと、
前記走行路を横切る方向に設けられた切断刃を有し、前記プラスチックフィルムを、前記台紙フィルムを残した状態で切断して前記走行路に沿った方向において所定の寸法を有するプラスチックフィルム片を生成する切断機構部と、
前記プラスチックフィルム片を着脱自在に保持する保持プレートを有する保持装置と、
を備え、
前記切断機構部は、前記プラスチックフィルム片を生成する際に、当該プラスチックフィルム片に後続するプラスチックフィルムの先端部を前記切断刃による切断線に沿って予備剥がしを行う先端部の予備剥がし機構部を有し、
前記剥離部は、前記台紙フィルムを当該台紙フィルムの下面に沿って支持する平面と、前記平面に接した状態で走行する台紙フィルムを９０度以上折り返す台紙フィルム折り返し部とを有し、
前記可動剥離ユニットは、前記台紙フィルム折り返し部で９０度以上折り返された前記台紙フィルムをその走行方向を替えて水平方向に走行させる転向ロールと、前記剥離部の前記走行路後方側に設けられ前記台紙フィルム付プラスチックフィルムを切断する際に前記台紙フィルム付きプラスチックフィルムを下側から支持する切断用支持台座部とをさらに有し、
前記可動剥離ユニットが前記走行路後方側へ移動する際は、前記可動剥離ユニットの前記走行路後方側への移動に抗するような力を前記台紙フィルムに与え、かつ、前記プラスチックフィルム片が前記保持装置によって保持された状態で、前記可動剥離ユニットを前記走行路後方側に移動させることによって、前記台紙フィルムを前記プラスチックフィルム片から引き剥がすことを特徴とするプラスチックフィルムの剥離装置。
【請求項２】
請求項１に記載のプラスチックフィルムの剥離装置において、
前記走行路後方側への移動に抗するような力を前記台紙フィルムに与えるようにするための構成として、前記台紙フィルムを巻き取るための巻き取りリールを設け、当該巻き取りリールによって前記台紙フィルムに巻き取り力を与えることを特徴とするプラスチックフィルムの剥離装置。
【請求項３】
請求項１に記載のプラスチックフィルムの剥離装置において、
前記走行路後方側への移動に抗するような力を前記台紙フィルムに与えるようにするための構成として、前記台紙フィルムを一時的に固定するための固定機構を設け、当該固定機構によって前記台紙フィルムの動きを一時的に阻止することを特徴とするプラスチックフィルムの剥離装置。
【請求項４】
請求項１〜３のいずれかに記載のプラスチックフィルムの剥離装置において、
前記可動剥離ユニットよりも前記走行路後方側に設けられ、前記プラスチックフィルムを前記台紙フィルムから剥離しやすくするための予備剥がしを行う予備剥がし機構部をさらに有することを特徴とするプラスチックフィルムの剥離装置。
【請求項５】
請求項４に記載のプラスチックフィルムの剥離装置において、
前記予備剥がし機構部は、前記走行路を横切る方向に突設されたへら状の剥がし板を有し、当該剥がし板の先端部が前記台紙フィルムと前記プラスチックフィルムとの間に所定長さだけ挿入された状態で用いられることを特徴とするプラスチックフィルムの剥離装置。
【請求項６】
請求項５に記載のプラスチックフィルムの剥離装置において、
前記剥がし板は、前記走行路を挟んで一方の側に設けられる第１剥がし板と他方の側に設けられる第２剥がし板とを有し、前記第１剥がし板の先端部と第２剥がし板の先端部との間隔が所定範囲で任意に設定可能となっていることを特徴とするプラスチックフィルムの剥離装置。
【請求項７】
請求項１〜６のいずれかに記載のプラスチックフィルムの剥離装置において、
前記保持装置は、前記プラスチックフィルム片の走行路に沿った方向の寸法に応じて前記プラスチックフィルム片を保持するための保持領域の設定が可能な保持領域設定板を前記保持プレートに取り付け可能となっていることを特徴とするプラスチックフィルムの剥離装置。
【請求項８】
請求項１〜７のいずれかに記載のプラスチックフィルムの剥離装置において、
前記プラスチックフィルムは、カバーレイフィルムであることを特徴とするプラスチックフィルムの剥離装置。
【請求項９】
請求項１〜７のいずれかに記載のプラスチックフィルムの剥離装置において、
前記プラスチックフィルムは、補強フィルムであることを特徴とするプラスチックフィルムの剥離装置。
【請求項１０】
請求項１〜７のいずれかに記載のプラスチックフィルムの剥離装置において、
前記プラスチックフィルムは、電子機器のタッチパネルに用いられるタッチパネル用フィルムであることを特徴とするプラスチックフィルムの剥離装置。
【発明の詳細な説明】
【技術分野】
【０００１】
本発明は、プラスチックフィルムの剥離装置に関し、特に長尺状の台紙フィルムの一面に剥離可能に貼着されているカバーレイフィルムなどのプラスチックフィルムを台紙フィルムから剥離するためのプラスチックフィルムの剥離装置に関する。
【背景技術】
【０００２】
一般に、フレキシブル配線基板は、薄いポリイミドフィルムやポリエステルフィルムをベースフィルムとして作られ、その表面に電子回路を構成する銅箔が貼着されている。また、電子回路には電子部品が直接実装されており、さらに電子回路にはカバーレイフィルムで被覆されている。【０００３】
また、このようなフレキシブル配線基板は、薄くて柔らかく自由に曲げることができるのが特徴であるが、その上に部品を搭載したり、コネクタに接続したりする場合には、ある程度の厚さと堅さが必要な場合もある。そこで、ベースフィルムの一部の領域の剛性を確保するために、所定の形状と大きさを有する補強板をベースフィルムに対して貼着することが行われている。【０００４】
上記したフレキシブル配線基板を製造する工程において、ベースフィルム上の被覆すべき電子回路の上にカバーレイフィルムを貼着する前段階の工程として、まずは、プリカットされたカバーレイフィルムを台紙フィルムから手作業で剥離する必要がある。また、補強フィルムについても同様であって、補強フィルムを台紙フィルムから手作業で剥離する必要がある。【０００５】
このように手作業でカバーレイフィルムや補強フィルム（以下ではカバーレイフィルムのみについて説明する）を台紙フィルムＷｍから剥離することはフレキシブル配線基板の製造を自動化する上で大きな障害となっていた。また、カバーレイフィルムを台紙フィルムから剥離するときに、カバーレイフィルムを台紙フィルムの面に対して垂直に引き上げようとすると、大きな剥離力を必要とする。このような課題を解決するためのプラスチックフィルムの剥離装置としては、例えば、特許文献１に開示されているプラスチックフィルムの剥離装置（以下、従来のプラスチックフィルムの剥離装置という。）がある。【０００６】
図１３は、従来のプラスチックフィルムの剥離装置の構成を示す図である。従来のプラスチックフィルムの剥離装置は、図１３に示すように、ほぼ水平な案内面を上端部に有する基台テーブル１と、この基台テーブル１の案内面に沿って所定範囲の間を前後（矢印ｘ−ｘ’方向）に往復動可能であって先端に剥離部９を設けた可動剥離ユニット５と、この可動剥離ユニット５を往復駆動させるための駆動装置（ボールスクリュー７、サーボモーター８などにより構成されている。）と、台紙フィルムＷｍに剥離可能に貼着され、かつ、所定の大きさにプリカットされたプラスチックフィルム（カバーレイフィルムＷｃとする。）を吸着保持する吸着保持装置３５と、基台テーブル１側に設置され、台紙フィルムＷｍに貼着されているカバーレイフィルムＷｃをクランプ可能なクランプ装置４５と、可動剥離ユニット５側に設置され、カバーレイフィルムＷｃを剥離したあとの台紙フィルムＷｍをクランプ可能なクランプ装置５０とを備えた構成となっている。なお、台紙フィルムＷｍに貼着された状態のカバーレイフィルムＷｃを台紙フィルム付カバーレイフィルムＷｃともいう。
【先行技術文献】
【特許文献】
【０００７】
【特許文献１】国際公開第ＷＯ２００９／０７５０３０号パンフレット
【発明の概要】
【発明が解決しようとする課題】
【０００８】
上記した従来のプラスチックフィルムの剥離装置によれば、「台紙フィルム付カバーレイフィルムＷｃを吸着保持装置３５で吸着保持した状態で、可動剥離ユニット５がｘ方向に移動することにより、可動剥離ユニット５の剥離部９が鋭角の剥離角度で台紙フィルムＷｍからプリカットされたカバーレイフィルムＷｃを剥離するようにしている」ので、小さい力でカバーレイフィルムＷｃを台紙フィルムＷｍから円滑に引き剥がすことができるといった優れた効果を得ることができる。【０００９】
しかしながら、従来のプラスチックフィルムの剥離装置においても、カバーレイフィルムＷｃと台紙フィルムＷｍとの貼着力が大きい場合や、カバーレイフィルムＷｃの材質及び台紙フィルムＷｍの材質、さらには貼着剤の種類などによっては、カバーレイフィルムＷｃを台紙フィルムＷｍから適切に剥離できない場合もあり得る。【００１０】
また、従来のプラスチックフィルムの剥離装置は、カバーレイフィルムＷｃが台紙フィルムＷｍに対して下側となった状態で、吸着保持装置３５によって吸着保持されるものである。このため、台紙フィルムＷｍから剥離したカバーレイフィルムＷｃは、貼着面が上側を向いた状態となり、その状態のまま、スライドテーブル３４により、トラバースラインに沿ってベースフィルム（図示せず。）の直下へ移送され、ベースフィルムの所定位置にまずは仮圧着される。【００１１】
このように、従来のプラスチックフィルムの剥離装置は、台紙フィルムＷｍから剥離したカバーレイフィルムＷｃをベースフィルムに仮圧着する際、ベースフィルムが上側に存在し、仮圧着されるカバーレイフィルムＷｃが下側となっていて、重力に逆らう方向にカバーレイフィルムＷｃをベースフィルムに仮圧着させるようにしている。勿論、このような構成が好ましい場合もあるが、逆に、仮圧着先であるベースフィルムが下側に存在し、仮圧着されるカバーレイフィルムＷｃが上側となっていて、重力方向にカバーレイフィルムＷｃをベースフィルムに仮圧着させるようにした方が、フレキシブル配線基板の製造を自動化する上で好ましい場合もある。【００１２】
ここで、仮圧着されるカバーレイフィルムＷｃが上側となっていて、重力方向にカバーレイフィルムＷｃをベースフィルムに仮圧着するには、カバーレイフィルムＷｃが台紙フィルムＷｍに対して上側となった状態で、基台テーブル１上を移動し、吸着保持装置３５により上側からカバーレイフィルムＷｃを吸着するような構成とすることが好ましい。すなわち、この場合、台紙フィルムＷｍを剥離したカバーレイフィルムＷｃは、貼着面が下側を向いた状態で吸着保持装置３５に吸着保持された状態となり、その状態のまま、ベースフィルム（図示せず。）の直上へ移送され、カバーレイフィルムＷｃはベースフィルムに対して重力方向に下降して仮圧着される。【００１３】
しかしながら、このような構成とすると、今度は、吸着保持装置３５による吸着動作が重力に逆らった方向となるため、カバーレイフィルムＷｃの吸着保持が不安定となる場合もある。このため、カバーレイフィルムＷｃを吸着保持装置３５で吸着保持した状態で、カバーレイフィルムＷｃを台紙フィルムＷｍから剥離する場合、前述したように、カバーレイフィルムＷｃと台紙フィルムＷｍとの貼着力が大きい場合などにおいては、カバーレイフィルムＷｃを台紙フィルムＷｍから適切に剥離できない場合もあり得るといった課題がある。【００１４】
そこで本発明は、小さな力でプラスチックフィルムを台紙フィルムから剥離可能とするプラスチックフィルムの剥離装置を提供することを目的とする。
【課題を解決するための手段】
【００１５】
［１］本発明のプラスチックフィルムの剥離装置は、台紙フィルムにプラスチックフィルムが剥離可能に貼着されている台紙フィルム付プラスチックフィルムを、前記台紙フィルムを下側とした状態で走行路に沿って走行させる過程において前記プラスチックフィルムを前記台紙フィルムから剥離するプラスチックフィルムの剥離装置であって、前記走行路に沿って前記走行路の下側に形成されるほぼ水平な案内面を有する基台テーブルと、前記プラスチックフィルムを前記台紙フィルムから剥離する剥離部を有し、前記基台テーブルの前記案内面に沿って前記走行路における走行路前方側及び走行路後方側に所定範囲で往復動可能な可動剥離ユニットと、前記走行路を横切る方向に設けられた切断刃を有し、前記プラスチックフィルムを、前記台紙フィルムを残した状態で切断して前記走行路に沿った方向において所定の寸法を有するプラスチックフィルム片を生成する切断機構部と、前記プラスチックフィルム片を着脱自在に保持する保持プレートを有する保持装置とを備え、前記可動剥離ユニットが前記走行路後方側へ移動する際は、前記可動剥離ユニットの前記走行路後方側への移動に抗するような力を前記台紙フィルムに与え、かつ、前記プラスチックフィルム片が前記保持装置によって保持された状態で、前記可動剥離ユニットを前記走行路後方側に移動させることによって、前記台紙フィルムを前記プラスチックフィルム片から引き剥がすことを特徴とする。【００１６】
本発明のプラスチックフィルムの剥離装置によれば、上記のような構成を有する可動剥離ユニットを有することによって、小さな力でプラスチックフィルムを台紙フィルムから剥離することができる。【００１７】
また、本発明のプラスチックフィルムの剥離装置は、台紙フィルムを下側とした状態で走行路に沿って走行させる過程においてプラスチックフィルムを台紙フィルムから剥離するプラスチックフィルムの剥離装置であり、しかも、上記のような構成を有する切断機構部を有していることにより、既に予備剥がしされたプラスチックフィルム（予備剥がし済みの台紙付きプラスチックフィルム）をも使用することができる。【００１８】
これは、本発明のプラスチックフィルムの剥離装置は、プラスチックフィルムが台紙フィルムに対して上側となった状態で走行する構成であるので、予備剥がしされたプラスチックフィルムが垂れさがったりすることなく、正常な状態で走行させることができるからであり、また、上記のような構成を有する切断機構部を有していることによって、プラスチックフィルムを台紙フィルムから剥離する直前で、プラスチックフィルムの切断が可能となるからである。【００１９】
すなわち、予備剥がし済みの台紙フィルム付プラスチックフィルムは、プラスチックフィルムを台紙フィルムから剥離する直前で切断する必要があるからである。これは、予備剥がし済みの台紙つきプラスチックフィルムは、予め切断（プリカット）してしまうと、走行中に、プリカットされた個々のカバーレイフィルム片が台紙フィルムから剥がれてしまうおそれもあり、適切な走行が行えなくなるとともに、走行中に個々のカバーレイフィルム片が「ばらばら」となってしまうおそれがあるからである。【００２０】
なお、本発明において、「プラスチックフィルム片を着脱自在に保持する」というのは、真空吸着などによりプラスチックフィルム片を保持することは勿論のこと、例えば、静電気を利用してプラスチックフィルム片を保持することも含むものであり、プラスチックフィルムを着脱自在に保持することができれば特に限定されるものではない。【００２１】
［２］本発明のプラスチックフィルムの剥離装置においては、前記走行路後方側への移動に抗するような力を前記台紙フィルムに与えるようにするための構成として、前記台紙フィルムを巻き取るための巻き取りリールを設け、当該巻き取りリールによって前記台紙フィルムに巻き取り力を与えることが好ましい。【００２２】
このような構成とすることによって、可動剥離ユニットの走行路後方側への移動に抗するような力を台紙フィルムに確実に与えることができる。【００２３】
［３］本発明のプラスチックフィルムの剥離装置においては、前記走行路後方側への移動に抗するような力を前記台紙フィルムに与えるようにするための構成として、前記台紙フィルムを一時的に固定するための固定機構を設け、当該固定機構によって前記台紙フィルムの動きを一時的に阻止することもまた好ましい。【００２４】
このような構成とすることによっても、可動剥離ユニットの走行路後方側への移動に抗するような力を台紙フィルムに確実に与えることができる。なお、固定機構としては、台紙フィルムをクランプ可能なクランパや台紙フィルムを挟むように設けられたニップローラなどを例示することができる。【００２５】
［４］本発明のプラスチックフィルムの剥離装置においては、前記剥離部は、前記台紙フィルムを当該台紙フィルムの下面に沿って支持する平面と、当該平面に対して鋭角をなす傾斜面と、前記平面と前記傾斜面との接続部に形成され、前記平面に接した状態で走行する台紙フィルムを９０度以上折り返す台紙フィルム折り返し部とを有することが好ましい。【００２６】
可動剥離ユニットがこのような剥離部を有することにより、プラスチックフィルムを台紙フィルムから容易に剥離することができる。すなわち、可動剥離ユニットの走行路後方側への移動に抗するような力を台紙フィルムに与え、かつ、プラスチックフィルム片が保持装置によって保持された状態で、可動剥離ユニットを走行路後方側に移動させることにより、台紙フィルムには、台紙フィルム折り返し部で９０度以上折り返されるような引張り力が与えられる。これにより、プラスチックフィルムを台紙フィルムから容易に剥離することができる。【００２７】
［５］本発明のプラスチックフィルムの剥離装置においては、前記可動剥離ユニットよりも前記走行路後方側に設けられ、前記プラスチックフィルムを前記台紙フィルムから剥離しやすくするための予備剥がしを行う予備剥がし機構部をさらに有することが好ましい。【００２８】
このような予備剥がし機構部（以下、第１予備剥がし機構部ともいう。）を有することによって、プラスチックフィルム片を台紙フィルムから予備剥がしすることができ、小さな力でプラスチックフィルム片を台紙フィルムから剥離することができる。このため、プラスチックフィルム片を吸着保持装置で吸着保持した状態で台紙フィルムからプラスチックフィルム片を剥離する場合、吸着保持装置による吸着動作が重力に逆らった方向であっても、小さな力でプラスチックフィルム片を台紙フィルムから剥離することができる。【００２９】
［６］本発明のプラスチックフィルムの剥離装置においては、前記予備剥がし機構部は、前記走行路を横切る方向に突設されたへら状の剥がし板を有し、当該剥がし板の先端部が前記台紙フィルムと前記プラスチックフィルムとの間に所定長さだけ挿入された状態で用いられることが好ましい。【００３０】
第１予備剥がし機構部がこのような構成を有することによって、台紙フィルム付プラスチックフィルムが走行路に沿って走行して行くだけで、プラスチックフィルムを台紙フィルムから自動的に予備剥がしすることができる。【００３１】
［７］本発明のプラスチックフィルムの剥離装置においては、前記剥がし板は、前記走行路を挟んで一方の側に設けられる第１剥がし板と他方の側に設けられる第２剥がし板とを有し、前記第１剥がし板の先端部と第２剥がし板の先端部との間隔が所定範囲で任意に設定可能となっていることが好ましい。【００３２】
剥がし板をこのように走行路を挟んで両側に設けることにより、台紙フィルム付プラスチックフィルムの両サイド部を予備剥がしすることができ、それによって、小さな力で台紙フィルムからプラスチックフィルム片を剥離することができる。また、第１剥がし板の先端部と第２剥がし板の先端部との間隔が所定範囲で任意に設定可能となっていることにより、台紙フィルム付プラスチックフィルムの幅方向における予備剥がし量を所定範囲で任意に設定することができる。【００３３】
［８］本発明のプラスチックフィルムの剥離装置においては、前記切断機構部は、前記プラスチックフィルム片を生成する際に、当該プラスチックフィルム片に後続するプラスチックフィルムの先端部を前記切断刃による切断線に沿って吸着して予備剥がしを行う先端部の予備剥がし機構部を有することが好ましい。【００３４】
切断機構部がこのような先端部の予備剥がし機構部（以下、第２予備剥がし機構部ともいう。）を有することにより、切断機構部により切断されたプラスチックフィルム片は、その先端部が走行路を横切る方向に予備剥がしされた状態となる。これにより、プラスチックフィルム片を台紙フィルムから剥離する際に、より確実にプラスチックフィルム片を台紙フィルムから剥離することができる。なお、この第２予備剥がし機構部と第１予備剥がし機構部とを組み合わせることにより、プラスチックフィルム片を台紙フィルムから剥離する際に、より小さい力で適切に剥離することができる。【００３５】
［９］本発明のプラスチックフィルムの剥離装置においては、前記保持装置は、前記プラスチックフィルム片の走行路に沿った方向の寸法に応じて前記プラスチックフィルム片を保持するための保持領域の設定が可能な保持領域設定板を前記保持プレートに取り付け可能となっていることが好ましい。【００３６】
このような保持領域設定板を保持プレートに取り付け可能とすることにより、プラスチックフィルムの走行路に沿った方向における寸法に関わらずプラスチックフィルム片を１枚ずつ確実に保持することができる。【００３７】
［１０］本発明のプラスチックフィルムの剥離装置においては、前記プラスチックフィルムは、カバーレイフィルムであることが好ましい。【００３８】
カバーレイフィルムは、ベースフィルムなどに実装された電子回路を保護するために用いられるものであり、このようなカバーレイフィルムを台紙フィルムから剥離する際に本発明のプラスチックフィルムの剥離装置を適用することができる。それによって確実かつ効率的にカバーレイフィルムを台紙フィルムから剥離することができる。【００３９】
［１１］本発明のプラスチックフィルムの剥離装置においては、前記プラスチックフィルムは、補強フィルムであることもまた好ましい。【００４０】
補強フィルムは、ベースフィルムなどの剛性を確保するために用いられるものであり、このような補強フィルムを台紙フィルムから剥離する際においても本発明のプラスチックフィルムの剥離装置を適用することができ、それによって、確実かつ効率的に補強フィルムを台紙フィルムから剥離することができる。【００４１】
［１２］本発明のプラスチックフィルムの剥離装置においては、前記プラスチックフィルムは、タッチパネル用フィルムなどであることもまた好ましい。【００４２】
タッチパネル用フィルムは、電子機器の表示部（例えば、液晶表示パネル、有機ＥＬ表示パネルなど。）に貼り付けて、当該電気機器へ情報を入力するために用いるものである。このようなタッチパネル用フィルムを台紙フィルムから剥離する際においても本発明のプラスチックフィルムの剥離装置を適用することができ、それによって、確実かつ効率的にタッチパネル用フィルムを台紙フィルムから剥離することができる。
【図面の簡単な説明】
【００４３】
【図１】実施形態１に係るプラスチックフィルムの剥離装置１０００の構成を示す正面図である。
【図２】実施形態１に係るプラスチックフィルムの剥離装置１０００の構成を示す平面図である。
【図３】台紙フィルム付カバーレイフィルムＷｃの構成を示す図である。
【図４】第１予備剥がし機構部４００における第１剥がし板４１０及び第２剥がし板４２０とカバーレイフィルムＷｃとの関係を示す図である。
【図５】第１予備剥がし機構部４００により予備剥がしされたカバーレイフィルムＷｃを示す図である。
【図６】可動剥離ユニット２００における剥離部２３０の構成を示す図である。
【図７】切断機構部６００による切断動作と先端予備剥がし機構部６６０による先端部の予備剥がし動作を模式的に示す図である。
【図８】吸着プレート７１０の下端面に設けられる多数の負圧吸着口７１１を示す図である。
【図９】吸着プレート７１０の吸着領域の大きさの設定例を説明するための図である。
【図１０】実施形態１に係るプラスチックフィルムの剥離装置１０００の動作例を模式的に示す図である。
【図１１】実施形態１に係るプラスチックフィルムの剥離装置１０００の動作例を模式的に示す図である。
【図１２】実施形態２に係るプラスチックフィルムの剥離装置２０００の構成を示す正面図である。
【図１３】従来のプラスチックフィルムの剥離装置の構成を示す図である。
【発明を実施するための形態】
【００４４】
以下、本発明の実施形態について説明する。
【００４５】
［実施形態１］
図１は、実施形態１に係るプラスチックフィルムの剥離装置１０００の正面図である。また、図２は、実施形態１に係るプラスチックフィルムの剥離装置１０００の平面図である。なお、以下に説明する各実施形態では、プラスチックフィルムはカバーレイフィルムであるとする。
【００４６】
実施形態１に係るプラスチックフィルムの剥離装置１０００は、図１及び図２に示すように、台紙フィルムＷｍに剥離可能に貼着されているカバーレイフィルムＷｃ（台紙フィルム付カバーレイフィルムＷｃともいう。）を、台紙フィルムＷｍを下側とした状態で走行路Ａ（図２参照。）にほぼ平行な案内面１１０を有する基台テーブル１００と、基台テーブル１００の案内面１１０に沿って走行路Ａにおける前方側（矢印ｘ方向であって走行路前方側ともいう。）及び走行路Ａにおける後方側（矢印ｘ’方向であって走行路後方側ともいう。）に所定範囲で往復動可能な可動剥離ユニット２００と、可動剥離ユニット２００を往移動させるための駆動装置３００と、可動剥離ユニット２００よりも走行路後方側の基台テーブル１００に設置され、カバーレイフィルムＷｃを台紙フィルムＷｍから剥がし易くするための予備剥がしを行う第１予備剥がし機構部４００と、第１予備剥がし機構部４００の走行路前方側の基台テーブル１００に固定された第１クランプ装置５００と、基台テーブル１００に設置され、予備剥がしされた台紙フィルム付カバーレイフィルムＷｃを、走行路Ａを横切る方向（直交方向とする。）に台紙フィルムＷｍを残した状態で切断する切断機構部６００と、切断機構部６００で切断された一片の切断済みカバーレイフィルム（カバーレイフィルム片という。）を着脱自在に保持可能な保持装置７００と、台紙フィルム付カバーレイフィルムＷｃを送り出す送り出しリール８１０と、台紙フィルム付カバーレイフィルムＷｃが剥離された台紙フィルムＷｍを巻き取る巻き取りリール８２０とを備えている。
【００４７】
なお、カバーレイフィルム片を着脱自在に保持可能な保持装置７００は、プラスチックフィルム片を吸着して保持（吸着保持という。）する吸着保持装置であるとし、以下、吸着保持装置７００という。
【００４８】
また、走行路Ａは構成要素として存在するものではなく、台紙フィルム付カバーレイフィルムＷｃが走行する領域を仮想的に示すものであり、図２においては走行路Ａを薄い灰色で示している。
また、基台テーブル１００の案内面１１０には架台１２０が案内面１１０に沿って設置されている。そして、架台１２０の上には平行な二本の直線状のガイドレール１３１，１３２（図２参照）が適当な間隔をあけて架設されている。
【００４９】
可動剥離ユニット２００は、ガイドレール１３１，１３２に沿って走行路前方側及び走行路後方側に往復動可能な可動プレート２１０と、この可動プレート２１０の上面側に固定された切断用支持台座部２２０と、切断用支持台座部２２０の走行路前方側の端部に設けられた剥離部２３０（詳細は後述する。）とを有している。なお、切断用支持台座部２２０は、台紙フィルム付カバーレイフィルムＷｃを切断する際に台紙フィルム付カバーレイフィルムＷｃを下側から支持するものであり、可動プレート２１０とともに走行路前方側及び走行路後方側に往復動可能となっている。
【００５０】
また、可動剥離ユニット２００は、切断機構部６００よりも走行路後方側でかつ可動プレート２１０に固定された第２クランプ装置２４０と、剥離部２３０よりも走行路前方側でかつ可動プレート２１０に固定された第３クランプ装置２５０と、第３クランプ装置２５０と剥離部２３０との間の可動プレート２１０に固定された転向ロール２６０と、可動プレート２１０の走行路前方側の先端部に固定された支持台座部２７０とを有している。なお、支持台座部２７０は、吸着保持装置７００が下降した状態でカバーレイフィルム片を吸着保持する際にカバーレイフィルム片を下方向から支持するものである。
【００５１】
ところで、前述した第１クランプ装置５００は、第１予備剥がし機構部４００を通過した台紙フィルム付カバーレイフィルムＷｃをクランプ状態又は非クランプ状態のいずれかに設定可能なクランプであり、可動剥離ユニット２００が台紙フィルム付カバーレイフィルムＷｃを走行路前方側に送るために走行路前方側に移動する際は、非クランプ状態となるように動作し、可動剥離ユニット２００がカバーレイフィルムＷｃを台紙フィルムＷｍから剥離するために走行路後方側に移動する際は、クランプ状態となるように動作する。
【００５２】
一方、第２クランプ装置２４０は、可動剥離ユニット２００とともに往復動し、台紙フィルム付カバーレイフィルムＷｃをクランプ状態又は非クランプ状態のいずれかに設定可能なクランプであり、第３クランプ装置２５０は、可動剥離ユニット２００とともに往復動し、カバーレイフィルムＷｃが剥離された台紙フィルムＷｍをクランプ状態又は非クランプ状態のいずれかに設定可能なクランプである。
【００５３】
また、これら第２クランプ装置２４０及び第３クランプ装置２５０は、可動剥離ユニット２００が台紙フィルム付カバーレイフィルムＷｃを走行路前方側に送るために走行路前方側に移動する際は、クランプ状態となるように動作し、可動剥離ユニット２００がカバーレイフィルムＷｃを台紙フィルムＷｍから剥離するために走行路後方側に移動する際は、非クランプ状態となるように動作する。
なお、第１クランプ装置５００、第２クランプ装置２４０及び第３クランプ装置２５０の具体的な動作については後述する、
【００５４】
駆動装置３００は、可動剥離ユニット２００の可動プレート２１０の下端側に固定されたナット(図示せず。)と、当該ナットに螺合しているボールスクリュー３１０と、ボールスクリュー３１０を時計方向または反時計方向に回転させるためのサーボモーター３２０とを有している。このように構成された駆動装置３００は、サーボモーター３２０を運転制御することにより、可動剥離ユニット２００を基台テーブル１００の案内面１１０上において走行路前方側及び走行路後方側に所定範囲で往復動させることができる。
【００５５】
第１予備剥がし機構部４００は、走行路Ａを挟んで一方の側（図２における矢印ｙ方向側）に設けられた第１剥がし板４１０と他方の側（図２における矢印ｙ’方向側）に設けられた第２剥がし板４２０とを有している。第１剥がし板４１０及び第２剥がし板４２０は、それぞれの先端部４１１，４２１が台紙フィルムＷｍとカバーレイフィルムＷｃとの間に所定長さだけ挿入された状態で用いられる。なお、第１剥がし板４１０の先端部４１１と第２剥がし板４２０の先端部４２１との間隔は、所定範囲で任意に設定可能となっている。
【００５６】
実施形態１に係るプラスチックフィルムの剥離装置１０００においては、第１剥がし板４１０の先端部４１１と第２剥がし板４２０の先端部４２１との間隔は、「ｄ」に設定されているとする（図４参照。）。間隔ｄは、カバーレイフィルムＷｃの幅をＤとしたとき（図４参照）、この場合、Ｄ／３であるとする。これにより、カバーレイフィルムＷｃは、第１予備剥がし機構部４００を通過すると、中央部に「Ｄ／３」の幅を残して両サイド部が走行路Ａに沿って台紙フィルムＷｍから予備剥がしされることとなる。
【００５７】
切断機構部６００は、可動剥離ユニット２００を挟むように基台テーブル１００上に固定された支柱６１０，６２０と、支柱６１０，６２０に上下方向（矢印ｚ−ｚ’方向）の往復動が可能となるように支持された切断刃取り付けプレート６３０と、切断刃取り付けプレート６３０の下端面に走行路Ａと直交する方向に取り付けられた直線状の切断刃６４０と、切断刃取り付けプレー６３０を上下方向（矢印ｚ−ｚ’方向）に往復動させる切断駆動部６５０と、切断刃６４０よりも走行路後方側で切断刃６４０に沿って設けられた負圧吸引部６６０とを有している。
【００５８】
切断刃６４０は、台紙フィルム付カバーレイフィルムＷｃを走行路Ａに直交する方向に台紙フィルムＷｍを残した状態で切断するものであるが、カバーレイフィルムＷｃを切断する際は、カバーレイフィルムＷｃを確実に切断可能とするために、台紙フィルムＷｍにわずかに食い込む程度にまで下降可能となるように設定されている。
【００５９】
負圧吸引部６６０は、切断刃６４０に沿って設けられた複数個（４個とする。）の負圧吸引口６６１〜６６４と負圧吸引口６６１〜６６４に接続された空気吸入用パイプ（図示せず。）と、負圧生成装置（図示せず。）とを有している。この負圧吸引部６６０は、切切断刃６４０よりも走行路前方側に存在する台紙フィルム付カバーレイフィルムＷｃが切断刃６４０によって切断される際、切断刃６４０よりも走行路後方側に存在する台紙フィルム付カバーレイフィルムＷｃ（後続の台紙フィルム付カバーレイフィルムＷｃ）の先端部を、切断刃６４０の切断線に沿って吸引することによって、当該後続の台紙フィルム付カバーレイフィルムＷｃの先端部を台紙フィルムＷｍから予備剥がしするものである。
【００６０】
このように負圧吸引部６６０は、台紙フィルム付カバーレイフィルムＷｃの先端部を予備剥がしする機能を有するものであり、以下では、第２予備剥がし機構部６６０という。この第２予備剥がし機構部６６０の動作については後述する。
【００６１】
吸着保持装置７００は、図１に示すように、矢印ｚ−ｚ’方向に沿って往復動可能で、かつ、図示を省略するトラバースライン（図２における矢印ｙ−ｙ’方向のライン）に沿って往復動可能に設けられている。この吸着保持装置７００の先端面（走行路Ａに対向する面）には吸着プレート７１０が設けられている。また、吸着プレート７１０の上端側には、吸着機構部７２０が設けられている。この吸着機構部７２０は、負圧生成装置（図示せず。）に接続される負圧吸引パイプ７２１，７２１，・・・が設けられている。
【００６２】
また、吸着プレート７１０の下端面（走行路Ａに対向する面）には、メッシュ状の多数の負圧吸着口７１１，７１１，・・・（図７参照。）が設けられており、これらの負圧吸着口７１１，７１１，・・・は、負圧吸引パイプ７２１，７２１，・・・に通じている。したがって、負圧生成装置が作動することにより、負圧吸着口７１１，７１１，・・・は、負圧吸引状態となり、当該吸着保持装置７００の位置にまで走行してきたカバーレイフィルム片を吸着することできる。
【００６３】
図３は、台紙フィルム付カバーレイフィルムＷｃの構成を示す図である。台紙フィルム付カバーレイフィルムＷｃは、ポリエチレン樹脂、ポリエステル樹脂又はマイラーフィルムなどから作られた長尺状の台紙フィルムＷｍに、ポリイミド樹脂又はポリエステル樹脂で作られたカバーレイフィルムＷｃが剥離可能に貼着された構成となっている。
【００６４】
図４は、第１予備剥がし機構部４００における第１剥がし板４１０と第２剥がし板４２０とカバーレイフィルムＷｃとの関係を示す図である。図４（ａ）は平面図であり、図４（ｂ）は図４（ａ）におけるａ−ａ’線の矢視断面図である。図４（ａ），（ｂ）に示すように、第１剥がし板４１０の先端部４１１と第２剥がし板４２０の先端部４２１との間隔はｄ（ｄ＝Ｄ／３）であるため、カバーレイフィルムＷｃと台紙フィルムＷｍとの間に、第１剥がし板４１０と第２剥がし板４０とがそれぞれＤ／３だけ挿入された状態となる。なお、図４（ｂ）においては、破線で示す円で囲った部分の拡大図が示されている。
【００６５】
このような状態でカバーレイフィルムＷｃが図示の矢印ｘ方向すなわち走行路前方側に走行すると、カバーレイフィルムＷｃは、中央部にｄ（ｄ＝Ｄ／３）の幅を残して両サイド部が台紙フィルムＷｍから剥離されて行き、予備剥がしされることとなる。なお、カバーレイフィルムＷｃと台紙フィルムＷｍとの間に、第１剥がし板４１０及び第２剥がし板４２０を挿入する操作は、操作者が初期設定として行う。
【００６６】
図５は、第１予備剥がし機構部４００により予備剥がしされたカバーレイフィルムＷｃを示す図である。図５において、灰色で示す領域が予備剥がしされた領域であり、図５に示すように、カバーレイフィルムＷｃは、中央部にｄ（ｄ＝Ｄ／３）の幅を残して両サイド部がＤ／３の幅で台紙フィルムＷｍ（図５においては図示せず。）から予備剥がしされた状態となる。
【００６７】
なお、カバーレイフィルムＷｃは、第１予備剥がし機構部４００によって予備剥がしされても、第１予備剥がし機構部４００を通過後においては、カバーレイフィルムＷｃの予備剥がしされた部分は、再び、台紙フィルムＷｍに接触した状態となるが、一度、剥がされた状態となっているので、後に行われる吸着保持装置７００と可動剥離ユニット２００とによる実際の剥離動作は容易なものとなる。
【００６８】
図６は、剥離部２３０の構成を示す図である。剥離部２３０は、図６に示すように、台紙フィルムＷｍの下面（走行路Ａ側の面）を台紙フィルムＷｍの幅方向（図２における矢印ｙ−ｙ’方向）全体を摺接可能に支持する水平面２３１と、当該水平面２３１に対して鋭角θ（θ＝４５度前後が好ましい。）をなす傾斜面２３２とを有している。そして、剥離部２３０の先端部（水平面２３１と傾斜面２３２との接続部）には、台紙フィルム折り返し部２３３が形成されている。
【００６９】
剥離部２３０がこのような構成を有することによって、台紙フィルムＷｍは、剥離部２３０の水平面２３１に接した状態で矢印ｘ方向に走行したのち、台紙フィルム折り返し部２３３で９０度以上折り返された後、転向ロール２６０で方向を替えて水平方向に走行する。なお、剥離部２３０は、台紙フィルムＷｍが円滑に摺接状態で走行可能とするため、摩擦係数が小さい材料（例えばテフロン（登録商標）などの材料）で構成することが望ましい。
【００７０】
なお、カバーレイフィルムＷｃを台紙フィルムＷｍから剥離する動作、すなわち、可動剥離ユニット２００が矢印ｘ’方向（走行路後方側）に走行する動作を行う際は、吸着保持装置７００（図６では図示せず。）は、下降状態となっていてカバーレイフィルムＷｃ片を吸着保持した状態となっている。
【００７１】
図７は、切断機構部６００による切断動作と第２予備剥がし機構部６６０によるカバーレイフィルム片の先端部の予備剥がし動作を模式的に示す図である。なお、図７は図１における切断機構部６００の主要部を拡大して示すものである。図７（ａ）は切断機構部６００による切断動作を行う前の状態を示し、図７（ｂ）は切断機構部６００による切断動作を行っている状態を示し、図７（ｂ）は切断動作が終了して切断機構部６００が上昇して元の位置に復帰しようとしている状態を示し、図７（ｄ）は第２予備剥がし機構部６６０により先端部の予備剥がしが行われたカバーレイフィルムＷｃ２を示している。なお、図７（ａ）、図７（ｂ）及び図７（ｃ）においては、破線で囲まれた円Ｒの拡大図がそれぞれ示されている。
【００７２】
なお、図７おいて、既に切断されて切断機構部６００よりも走行路前方側に位置する一片の台紙フィルム付カバーレイフィルムＷｃを第１カバーレイフィルム片Ｗｃ１と呼び、この第１カバーレイフィルム片Ｗｃ１に後続する台紙フィルム付カバーレイフィルムＷｃを後続カバーレイフィルムＷｃと呼ぶことにする。
【００７３】
まず、図７（ａ）に示すように、切断機後部６００が台紙フィルム付カバーレイフィルムＷｃよりも上方にある位置から、図７（ｂ）に示すように、切断機後部６００が矢印ｚ’方向に下降して、切断刃６４０によって台紙フィルム付カバーレイフィルムＷｃが切断されることによって、第１カバーレイフィルム片Ｗｃ１が生成される。また、このとき、第２予備剥がし機構部６６０の負圧吸引口６６１〜６６４は、後続カバーレイフィルムＷｃの先端部を吸引した状態となる。
【００７４】
そして、切断動作が終了して切断機構部が元の位置に上昇（矢印ｚ方向に上昇）しようとするとき、第２予備剥がし機構部６６０は吸引動作を保持するため、後続カバーレイフィルムＷｃの先端は台紙フィルムＷｍから剥離される（図７（ｃ）参照。）。そして、切断機構部６００が元の位置にまで上昇した状態となると、第２予備剥がし機構部６６０による吸引動作も解除される。吸引動作が解除されると、後続カバーレイフィルムＷｃの先端部は、台紙フィルムＷｍに再び接触した状態となるが、一旦、剥離された状態となっているので、後に行われる吸着保持装置７００と可動剥離ユニット２００とによる実際の剥離動作は容易なものとなる。
【００７５】
図７（ｄ）は第２予備剥がし機構部６６０により先端部の予備剥がし行われたカバーレイフィルムＷｃ２を示すもので、予備剥がしされた領域を灰色で示している。図７（ｄ）に示すように、先端部の予備剥が行われたカバーレイフィルムＷｃ２は、両サイド部に加えて先端部（符号Ｓで示す領域）も予備剥がしされた状態となっている。
【００７６】
図８は、吸着プレート７１０の下端面に設けられる多数の負圧吸着口７１１を示す図である。負圧吸着口７１１は、図８に示すように、吸着プレート７１０の下端面にメッシュ状に多数設けられている。また、吸着プレート７１０の下端面には、吸着領域の大きさを設定可能とするための吸着領域設定板７５０（図９参照。）の取り付けを可能とするためのネジ孔７１２が例えば４箇所に設けられている。
【００７７】
図９は、吸着プレート７１０の吸着領域の大きさの設定例を説明するための図である。図９（ａ）は吸着プレート７１０の下端面のほぼ全域を負圧吸引領域とした場合を示し、これは図８と同じ状態である。また、図９（ｂ）は吸着領域設定板７５０の一例を示す図であり、この吸着領域設定板７５０には、開口部７５１が設けられている。また、吸着領域設定板７５０には、吸着プレート７１０に設けられたネジ孔７１２に一致するようなネジ孔７５２が設けられており、ネジによって吸着プレート７１０に取り付け可能となっている。
【００７８】
図９（ｃ）は図９（ａ）の吸着プレート７１０に図９（ｂ）の吸着領域設定板７５０を取り付けた状態を示す図である。図９（ｂ）に示す吸着領域設定板７５０は、走行路Ａに沿った方向において長さＬの開口部を有するものであるとする。このため、このような吸着領域設定板７５０を取り付けることにより、走行路Ａにおける走行方向において長さＬの領域のみを負圧吸着領域として設定することができる。
【００７９】
このような吸着領域設定板７５０は、台紙フィルム付カバーレイフィルムＷｃをどのような寸法で切断するかに応じて種々用意することが可能である。なお、切断機構部６００によって切断された１つ１つのカバーレイフィルム片の走行路方向の寸法を以下ではカバーレイフィルムサイズと呼ぶことにする。
【００８０】
例えば、実施形態１に係るプラスチックフィルムの剥離装置１０００が１０ｍｍ〜３５０ｍｍのカバーレイフィルムサイズを有するカバーレイフィルム片を生成可能であって、現時点における設定が１００ｍｍのカバーレイフィルムサイズを有するカバーレイフィルム片を生成する設定となっている場合には、１００ｍｍのカバーレイフィルムサイズに対応した吸着領域設定板７５０を吸着プレート７１０に取り付ける。これにより、カバーレイフィルムサイズが比較的短い場合、切断されたカバーレイフィルム片が連続的に送られてくるような設定となっている場合であっても、切断されたカバーレイフィルム片を１つ１つ適切に吸着保持することができる。
【００８１】
なお、生成可能な上限のカバーレイフィルムサイズ（３５０ｍｍ又はそれに近いカバーレイフィルムサイズ）を有するカバーレイフィルム片を生成する設定となっている場合には、吸着領域設定板７５０は取り付けないで吸着保持動作を行う。
【００８２】
次に、実施形態１に係るプラスチックフィルムの剥離装置１０００の動作例について説明する。
【００８３】
図１０及び図１１は、実施形態１に係るプラスチックフィルムの剥離装置１０００の動作例を模式的に示す図である。なお、図１０及び図１１においては、動作工程の説明に必要な主要構成要素のみを示すものであり、図１及び図２によりも簡略化されたものとなっている。ただし、図１及び図２と同じ構成要素には同一符号が付されている。
【００８４】
送り出しリール８１０に装着されている台紙フィルム付カバーレイフィルムＷｃの先端部には所定の長さの先導フィルムＷａが接続されており、この先導フィルムＷａの先端部は、送り出しリール８１０から上方向に引き出されたのちに、転向ロール８３０で水平方向に方向転換されて、第１予備剥がし機構部４００、基台テーブル１００に固定された第１クランプ装置５００、可動剥離ユニット２００に固定された第２クランプ装置２４０、切断機構部６００を通り、剥離部２３０の台紙フィルム折り返し部２３３（図６参照。）で９０度以上折り返されるように架設されたのち、転向ロール２６０で再び水平方向に方向転換さる。そして、先導フィルムＷａはその後、転向ロール８４０で下方向に方向転換されて、ニップロール８５０（図１参照。）を通って巻き取りリール８２０に巻き取られるようにセットされている。
【００８５】
そして、台紙フィルム付カバーレイフィルムＷｃは、初期設定として、例えば、操作者により、第１予備剥がし機構部４００の第１剥がし板４１０及び第２剥がし板４２０を台紙フィルムＷｍとカバーレイフィルムＷｃとの間に挿入した状態としておく。そして、台紙フィルム付カバーレイフィルムＷｃの先端部Ｐ０が可動剥離ユニット２００における剥離部２３０の台紙フィルム折り返し部２３３の位置となるようにセットする（図１０（ａ）参照。）。
【００８６】
図１０（ａ）に示す状態において、切断機構部６００により切断動作を行うと、カバーレイフィルムＷｃが切断される。ここでの切断動作によって生成されるカバーレイフィルムＷｃ（切断刃６４０よりも走行路前方側のカバーレイフィルムＷｃ）を第１カバーレイフィルム片Ｗｃ１とする。このような切断動作が行われる際、第２予備剥がし機構部６６０によって、後続カバーレイフィルムＷｃ、すなわち、次のカバーレイフィルム片（第２カバーレイフィルム片Ｗｃ２とする。）となるべき後続カバーレイフィルムＷｃの先端部を予備剥がしする。
【００８７】
この先端部の予備剥がし動作は、切断機構部６００による切断動作と同時に、第２予備剥がし機構部６６０の負圧吸引口６６１〜６６４が後続カバーレイフィルムＷｃの先端部を吸引した状態で、切断機構部６００が上昇することによって行われる。これにより、後続カバーレイフィルムＷｃの先端部が台紙フィルムＷｍから剥離された状態（予備剥がしされた状態）となる。
【００８８】
なお、このときの各クランプ装置の状態は、第１クランプ装置５００は非クランプ状態（非クランプ状態を「開」と表記する。）となっており、第２クランプ装置２４０及び第３クランプ装置２５０はともにクランプ状態（クランプ状態を「閉」と表記する。）となっている。
【００８９】
また、この場合、１つ１つのカバーレイフィルム片のサイズ（カバーレイフィルムサイズ）は、図１０の例では、剥離部２３０のほぼ先端部の位置から切断刃６４０までの距離に相当するものとなる。このカバーレイフィルムサイズは、可動剥離ユニット２００の移動量を設定することにより、所定範囲（例えば１００ｍｍ〜３５０ｍｍ範囲）で任意に設定可能である。なお、カバーレイフィルムサイズを「Ｌ」で表し、この場合、Ｌ＝１００ｍｍとする。
【００９０】
したがって、この場合、吸着保持装置７００の吸着プレート７１０には、Ｌ＝１００ｍｍに対応する開口部を有する吸着領域設定板７５０を取り付けておく。ただし、吸着領域設定板７５０の開口部の長さＬは、正確にＬ＝１００ｍｍである必要はない。
【００９１】
そして、切断動作が終了すると、可動剥離ユニット２００は、図１０（ａ）の状態から図１０（ｂ）に示すように、走行路前方側（矢印ｘ方向）に移動する。このときの各クランプ装置の状態は、第１クランプ装置５００は「開」となっており、第２クランプ装置２４０及び第３クランプ装置２５０はともに「閉」となっている。各クランプ装置がこのような状態で、可動剥離ユニット２００が図１０（ａ）の状態から走行路前方側（矢印ｘ方向）に移動することにより、巻き取りリール８２０では台紙フィルムＷｍを移動した分だけ巻き取るとともに、送り出しリール８１０では移動した分だけ台紙フィルム付カバーレイフィルムＷｃを送り出す。
【００９２】
可動剥離ユニット２００が矢印ｘ方向に移動して、切断済みの第１カバーレイフィルム片Ｗｃ１が吸着保持装置７００と対向する位置に達すると（図１０（ｂ）参照。）、吸着保持装置７００が下降し、第１カバーレイフィルム片Ｗｃ１を吸着する（図１０(ｃ)参照。）。このとき、吸着保持装置７００は下降したまま吸着状態を保持する。ここで、各クランプ装置の状態を切り替える。すなわち、第１クランプ装置５００を「開」から「閉」とし、第２クランプ装置２４０及び第３クランプ装置２５０をともに「閉」から「開」とする。
【００９３】
そして、図１１（ａ）に示すように、可動剥離ユニット２００を走行路後方側（矢印ｘ’方向）に移動させる。なお、可動剥離ユニット２００を走行路後方側（矢印ｘ’方向）に移動させる際は、可動剥離ユニット２００の走行路後方側への移動に抗するような力を台紙フィルムＷｍに与え、かつ、第１プラスチックフィルム片Ｗｃ１が吸着保持装置７００によって保持された状態で、可動剥離ユニット２００を走行路後方側（矢印ｘ’方向）に移動させるようにしている。これにより、吸着保持装置７００に吸着されている第１カバーレイフィルム片Ｗｃ１を台紙フィルムＷｍから剥離することができる。
【００９４】
なお、可動剥離ユニット２００の走行路後方側への移動に抗するような力を台紙フィルムＷｍに与える手段としては、可動剥離ユニット２００を走行路後方側に移動させながら台紙フィルムＷｍを巻き取りリール８２０で巻き取るようにすることを例示することができる。
【００９５】
このような剥離動作は、可動剥離ユニット２００の先端部に設けられた剥離部２３０の存在によって確実に行うことができる。すなわち、剥離部２３０は、図６示したような構成となっており、このような剥離部２３０を有する可動剥離ユニット２００を走行路後方側に移動させながら台紙フィルムＷｍを巻き取りリール８２０で巻き取ることによって、台紙フィルムＷｍを剥離部２３０の台紙フィルム折り返し部２３３で折り返すように走行させながら台紙フィルムＷｍに対して引っ張り力を与えることとなる。これは、台紙フィルムＷｍを第１カバーレイフィルム片Ｗｃ１から引き剥がすような動作であり、小さな力で大きな剥離力が得られ、それによって、第１カバーレイフィルム片Ｗｃ１を台紙フィルムＷｍから確実に剥離することができる。
【００９６】
なお、第１カバーレイフィルム片Ｗｃ１を台紙フィルムＷｍから剥離した状態においては、可動剥離ユニット２００の支持台座部２７０が吸着保持装置７００の直下にまで移動した状態となっている。このため、支持台座部２７０は、吸着保持装置７００に吸着保持されている第１カバーレイフィルム片Ｗｃ１を下側から支持するような状態となる（図１１（ａ）参照。）。
【００９７】
そして、図１１（ａ）の状態から吸着保持装置７００が上昇する（図１１（ｂ）参照。）。このように、吸着保持装置７００は、台紙フィルムＷｍから剥離した第１カバーレイフィルム片Ｗｃ１を吸着して上昇した状態（図１１（ｂ）参照。）となったあとは、走行路Ａに直交するトラバースライン（図示せず。）に沿ってベースフィルム（図示せず。）の直上へ移送され、第１カバーレイフィルムＷｃ１がベースフィルムの所定位置に仮圧着される。
【００９８】
このとき、第１カバーレイフィルム片Ｗｃ１は、下面側が貼着面となった状態で吸着保持装置７００に吸着保持されているので、ベースフィルムに仮圧着される際に、吸着保持装置７０は、吸着保持している第１カバーレイフィルム片Ｗｃ１をそのまま重力方向に沿って下降させればいので、第１カバーレイフィルム片Ｗｃ１を安定した状態で適切にベースフィルムに仮圧着することができる。そして、第１カバーレイフィルム片Ｗｃ１をベースフィルムに仮圧着したあと、吸着保持装置７００は、トラバースラインに沿って元の位置（図１１（ｂ）の位置）に戻る。
【００９９】
ところで、吸着保持装置７００が上昇した状態（図１１（ｂ）参照。）においては、各クランプ装置の状態が切り替わって、第１クランプ装置５００は「閉」から「開」となり、第２クランプ装置２４０及び第３クランプ装置２５０はともに「開」から「閉」となって、再び、切断機構部６００が下降して次の切断動作が行われる（図１１（ｃ）参照。）。
【０１００】
図１１（ｃ）の状態は、図１０（ａ）の状態と同じであるが、図１１（ｃ）においては、切断機構部６００により、次のカバーレイフィルム片Ｗｃ２（第２カバーレイフィルム片Ｗｃ２とする。）を生成するための切断動作が行われる。このとき、切断機構部６００によって切断動作が行われると同時に、第２予備剥がし機構部６６０によって、後続カバーレイフィルＷｃの先端部、すなわち、第３カバーレイフィルム片Ｗｃ３（図示せず。）となるべき後続カバーレイフィルムＷｃの先端部を予備剥がしする。その後、図１０（ｂ）及び図１０（ｃ）並びに図１１（ａ）及び図１１（ｂ）と同様の動作を行う。
【０１０１】
なお、図１１（ｃ）に示す切断動作によって生成される第２カバーレイフィルム片Ｗｃ２は、予備剥がし機構部６６０によって両サイド部が予備剥がしされ、かつ、第１カバーレイフィルム片Ｗｃ１を切断する際に、第２予備剥がし機構部６６０によって先端部が予備剥がしされた状態となっている。このため、図１１（ａ）において行われる剥離動作を確実かつ容易に行うことができる。
【０１０２】
このような動作が繰り返し行われることにより、切断機構部６００の切断動作により生成された各カバーレイフィルムは、第１予備剥がし機構部４００によって両サイド部が予備剥がしされ、かつ、第２予備剥がし機構部６６０によって先端部が予備剥がしされた状態となる。このため、図１１（ａ）に示す剥離動作を確実かつ容易に行うことができ、貼着力の状況などによりカバーレイフィルムを台紙フィルムから剥離できないといったことを未然に防止することができる。
【０１０３】
［実施形態２］
上記実施形態１に係るプラスチックフィルムの剥離装置１０００においては、プラスチックフィルムの剥離装置１０００に第１予備剥がし機構部４００を設け、当該第１予備剥がし機構部４００によって、台紙フィルム付カバーレイフィルムＷｃの予備剥がしを行うようにしたが、プラスチックフィルムの剥離装置１０００に設けられている予備剥がし機構部（第１予備剥がし機構部４００）によって予備剥がしを行うのではなく、既に、予備剥がしされた台紙フィルム付カバーレイフィルムＷｃを用いることも可能である。この場合、プラスチックフィルムの剥離装置１０００に設けられている第１予備剥がし機構部４００は不要となる。
【０１０４】
図１２は、実施形態２に係るプラスチックフィルムの剥離装置２０００の正面図である。図１２に示す実施形態２に係るプラスチックフィルムの剥離装置２０００が実施形態１に係るプラスチックフィルムの剥離装置１０００（図１参照。）と異なるのは、第１予備剥がし機構部４００が存在していない点だけであり、その他の構成は、実施形態１に係るプラスチックフィルムの剥離装置１０００と同様であるので、同一構成要素には同一符号が付されている。
【０１０５】
実施形態２に係るプラスチックフィルムの剥離装置２０００においては、剥離対象となる台紙フィルム付カバーレイフィルムＷｃとしては、既に、カバーレイフィルムＷｃが台紙フィルムＷｍから部分的又は全面的に剥離されている予備剥がし済みの台紙付きカバーレイフィルムＷｃを用いる。なお、実施形態２に係るプラスチックフィルムの剥離装置２０００においては、予備剥がし済みの台紙付きカバーレイフィルムＷｃは、部分的に剥離されている予備剥がし済みの台紙付きカバーレイフィルムＷｃであって、例えば、図５に示したように、台紙フィルム付カバーレイフィルムＷｃの両サイド部が長手方向に沿って予備剥がしされたものであるとする。
【０１０６】
このような、予備剥がし済みの台紙付きカバーレイフィルムＷｃは、実施形態２に係るプラスチックフィルムの剥離装置２０００とは別に用意された予備剥がし装置（図示せず。）を用いて、予備剥がしされていない一般的な台紙フィルム付カバーレイフィルムを予備剥がしたものであってもよいし、また、この種の台紙フィルム付カバーレイフィルムを製造する製造業者が「予備剥がし済みの台紙付きカバーレイフィルム」として販売している場合には、当該製造業者から購入した「予備剥がし済みの台紙付きカバーレイフィルム」を用いてもよい。
【０１０７】
このように、既に、予備剥がしされている予備剥がし済みの台紙フィルム付カバーレイフィルムＷｃを用いた場合であっても、切断機構部６００による切断動作及び第２予備剥がし機構部６６０による先端部の予備剥がし動作、可動剥離ユニット２００によるカバーレイフィルムＷｃを台紙フィルムＷｍから剥離する動作などは、実施形態１に係るプラスチックフィルムの剥離装置１０００と同様に行うことができる。すなわち、切断機構部６００による切断動作及び第２予備剥がし機構部６６０による先端部の予備剥がし動作は、図７と同様に行うことができ、可動剥離ユニット２００によってカバーレイフィルムＷｃを台紙フィルムＷｍから剥離する動作は、図１０及び図１１と同様に行うことができる。
【０１０８】
なお、本発明は上述の実施形態に限られるものではなく、本発明の要旨を逸脱しない範囲で種々変形実施可能となるものである。たとえば、下記に示すような変形実施も可能である。
【０１０９】
（１）実施形態１に係るプラスチックフィルムの剥離装置１０００においては、第１予備剥がし機構部４００は、台紙フィルム付カバーレイフィルムＷｃの両サイド部を予備剥がしするようにしたが、両サイド部に限られるものではなく、第１予備剥がし機構部４００の第１剥がし板４１０の先端部４１１及び第２剥がし板４２０の先端部４２１が同一平面上で前後に互い違いに並ぶような配置とすることによって、カバーレイフィルムＷｃを台紙フィルムＷｍから全面的に予備剥がしすることも可能である。
【０１１０】
（２）実施形態１に係るプラスチックフィルムの剥離装置１０００において設けられている予備剥がし機構部４００は、基台テーブル１００に固定的に取り付けたものであってもよいが、予備剥がし機構部４００は、基台テーブル１００に着脱自在に取り付け可能とすることも可能である。予備剥がし機構部４００を基台テーブル１００に着脱自在に取り付け可能とすることにより、１台のプラスチックフィルムの剥離装置を実施形態１に係るプラスチックフィルムの剥離装置１０００として使用することもでき、また、実施形態２に係るプラスチックフィルムの剥離装置２０００として使用することもできる。
【０１１１】
（３）実施形態２に係るプラスチックフィルムの剥離装置２０００においては、予備剥がし済みの台紙フィルム付カバーレイフィルムＷｃとして、カバーレイフィルムＷｃの両サイド部が予備剥がしされたものを用いたが、カバーレイフィルムＷｃを台紙フィルムＷｍから全面的に予備剥がしたものを用いることもできる。
【０１１２】
（４）上記実施形態２に係るプラスチックフィルムの剥離装置２０００においては、予備剥がし済みの台紙フィルム付カバーレイフィルムを用いる場合を説明したが、予備剥がしされていない一般的な台紙フィルム付カバーレイフィルムを用いることも可能である。
【０１１３】
また、予備剥がしされていない一般的な台紙フィルム付カバーレイフィルムにおいてプリカットされた台紙フィルム付カバーレイフィルムを使用することも可能である。プリカットされた台紙フィルム付カバーレイフィルムを使用する場合には、切断機構部６００による切断動作が不要となるので、この場合には、切断機構部６００が切断動作を行わないように設定すすればよい。なお、このとき、第２予備剥がし機構部６６０のみを作動させるような構成とすることも可能である。すなわち、切断機構部６００が切断刃６４０を出し入れ可能とするような構成としておき、プリカットされている台紙フィルム付カバーレイフィルムを用いる場合には、切断刃６４０を収納した状態として、切断機構部６００を所定のタイミングごとに図７に示すような動作を行わせることにより、プリカットされた部分の先端部を予備剥がしすることができる。
【０１１４】
（５）実施形態１に係るプラスチックフィルムの剥離装置１０００及び実施形態２に係るプラスチックフィルムの剥離装置２０００においては、第１クランプ装置５００の取り付け位置は、可動剥離ユニット２００よりも走行路後方側（図１及び図１２参照。）としたが、第１クランプ装置５００の取り付け位置は、図１及び図１２に示す位置に限定されるものではなく、例えば、可動剥離ユニット２００よりも走行路前方側としてもよい。
【０１１５】
（６）実施形態１に係るプラスチックフィルムの剥離装置１０００及び実施形態２に係るプラスチックフィルムの剥離装置２０００においては、可動剥離ユニット２００は、２個のクランプ装置（第２クランプ装置２４０及び第３クランプ装置２５０）を有し、これら各クランプ装置を剥離部２３０及び切断機構部６００を挟んで走行路前方側及び走行路後方側それぞれに設けるようにしているが、これらクランプ装置はいずれか一方のみであってもよい。ただし、実施形態１に係るプラスチックフィルムの剥離装置１０００及び実施形態２に係るプラスチックフィルムの剥離装置２０００のように、剥離部２３０及び切断機構部６００を挟んで走行路前方側及び走行路後方側それぞれに設ける方が、台紙フィルム付きカバーレイフィルムＷｃの送りをより安定して行うことができる。
【０１１６】
（７）実施形態１に係るプラスチックフィルムの剥離装置１０００及び実施形態２に係るプラスチックフィルムの剥離装置２０００において設けられているクランプ装置（第１クランプ装置５００、第２クランプ装置２４０及び第３クランプ装置２５０）は、台紙フィルム付カバーレイフィルムＷｃ又は台紙フィルムＷｍをクランプ状態及び非クランプ状態とすることができるものであれば、その形状や構成などは特に限定されるものではなく、例えば、対向配置された２つのローラーによって台紙フィルム付カバーレイフィルムＷｃ又は台紙フィルムＷｍをクランプ状態及び非クランプ状態とするような構成としてもよい。
【０１１７】
（８）実施形態１に係るプラスチックフィルムの剥離装置１０００及び実施形態２に係るプラスチックフィルムの剥離装置２０００においては、カバーレイフィルムＷｃの先端部を予備剥がしするための第２予備剥がし機構部６６０を有する構成としたが、第２予備剥がし機構部６６０は必須のものではない。
【０１１８】
（９）実施形態１に係るプラスチックフィルムの剥離装置１０００及び実施形態２に係るプラスチックフィルムの剥離装置２０００においては、プラスチックフィルムは、カバーレイフィルムであるとして説明したが、カバーレイフィルムに限られるものではなく、例えば、補強フィルムであってもよい。また、電子機器の表示部（例えば、液晶表示パネル、有機ＥＬ表示パネルなど。）に貼り付けて、当該電気機器へ情報を入力するために用いるタッチパネル用フィルムであってもよい。さらにまた、電子機器の表示部（例えば、液晶表示パネル、有機ＥＬ表示パネルなど。）のパネル面を保護するための保護フィルムその他のプラスチックフィルムであってもよい。
【０１１９】
（１０）実施形態１に係るプラスチックフィルムの剥離装置１０００及び実施形態２に係るプラスチックフィルムの剥離装置２０００においては、切断機後部６００によって切断する際においては、台紙フィルム付カバーレイフィルムＷｃの先端が可動剥離ユニット２００の剥離部２３０の先端（台紙フィルム折り返し部２３３）となるように設定して切断するようにした例を示したが、必ずしも切断すべき台紙フィルム付カバーレイフィルムＷｃの先端が可動剥離ユニット２００の剥離部２３０の先端となるような設定とする必要はない。
【０１２０】
（１１）実施形態１に係るプラスチックフィルムの剥離装置１０００及び実施形態２に係るプラスチックフィルムの剥離装置２０００においては、切断済みのプラスチックフィルム片は吸着保持装置７００によって吸着保持するような構成としたが、プラスチックフィルム片を保持する保持装置は、「吸着保持」する吸着保持装置に限られるものではなく、プラスチックフィルム片を着脱自在に保持できるものであれば、他の保持装置であってもよい。例えば、静電気によってプラスチックフィルム片を保持可能とする保持装置などを用いてもよい。
【０１２１】
(１２)実施形態１に係るプラスチックフィルムの剥離装置１０００及び実施形態２に係るプラスチックフィルムの剥離装置２０００においては、剥離動作を行う際には、可動剥離ユニット２００を走行路後方側に移動させながら台紙フィルムＷｍを巻き取りリール８２０で巻き取るようにしたが、これに限られるものではなく、可動剥離ユニット２００の走行路後方側への移動に抗するような力を台紙フィルムＷｍに与えることができればよい。
【０１２２】
例えば、台紙フィルムＷｍを一時的に固定可能とする固定機構を設け、当該固定機構によって台紙フィルムＷｍの動きを一時的に阻止するようにしてもよい。なお、台紙フィルムＷｍを一時的に固定するための固定機構としては、対向配置された２つのローラー(例えば図１におけるニップロール８５０など)や図示しないクランパなどを例示することができる。
【０１２３】
また、可動剥離ユニット２００の走行路後方側への移動に抗するような力を台紙フィルムＷｍに与えることができるようにするための他の構成としては、台紙フィルムＷｍの端部に「重り」を付けて、当該「重り」を重力方向に垂れ下げるようにした状態で、可動剥離ユニット２００を走行路後方側に移動させるような構成としてもよい。
【符号の説明】
【０１２４】
１００・・・基台テーブル、１１０・・・案内面、１３１，１３２・・・ガイドレール、２００・・・可動剥離ユニット、２１０・・・可動プレート、２２０・・・切断用支持台座部、２３０・・・剥離部、２３１・・・平面、２３２・・・傾斜面、２３３・・・台紙フィルム折り返し部、２４０・・・第２クランプ装置２５０・・・第３クランプ、３００・・・駆動装置、４００・・・予備剥がし機構部、４１０・・・第１剥がし板、４２０・・・第２剥がし板、５００・・・第１クランプ、６００・・・切断機構部、６４０・・・切断刃、６６０・・・第２予備剥がし機構部（先端部の予備剥がし機構部）、７００・・・吸着保持装置、７１０・・・吸着プレート、７５０・・・吸着領域設定板、８１０・・・送り出しリール、８２０・・・巻き取りリール、Ａ・・・走行路、Ｗｃ・・・カバーレイフィルム、Ｗｍ・・・台紙フィルム
【図１】
0005406980.tif 000002
【図２】
0005406980.tif 000003
【図３】
0005406980.tif 000004
【図４】
0005406980.tif 000005
【図５】
0005406980.tif 000006
【図６】
0005406980.tif 000007
【図７】
0005406980.tif 000008
【図８】
0005406980.tif 000009
【図９】
0005406980.tif 000010
【図１０】
0005406980.tif 000011
【図１１】
0005406980.tif 000012
【図１２】
0005406980.tif 000013
【図１３】
0005406980.tif 000014